(57)【要約】【課題】ジャーナルで管理される商取引の中から所望の商取引を容易に見つけ出すことを可能とする。【解決手段】実施形態の販売データ処理装置は、商取引の検索条件として商取引の識別情報を受け付ける検索条件受付手段と、商取引ごとに、その商取引の識別情報が付与された取引明細を記録するジャーナルデータから、受け付けた識別情報に該当する商取引を検索する検索手段と、検索した商取引の取引明細を出力する出力手段と、を備える。【選択図】図３
2015215928.tif 000002
【特許請求の範囲】
【請求項１】
商取引の検索条件を受け付ける検索条件受付手段と、
取引明細を記録するジャーナルデータから、前記検索条件に該当する商取引を検索する検索手段と、
前記検索条件受付手段が受付ける検索条件を入力するための検索条件入力領域と、当該検索条件入力領域に入力された検索条件について前記検索手段が検索した検索結果として、前記検索条件入力領域により指定された当該検索条件に該当する取引明細の中の上位の位置に識別番号を配置した前記取引明細を表示するとともに、上位の位置に識別番号を配置した前記取引明細には検索された取引明細であることを示す枠線で囲い表示する検索結果表示領域と、を含む画面を表示させる出力手段と、
を備える販売データ処理装置。
【請求項２】
前記出力手段は、前記検索結果表示領域における前記検索条件に該当するとして前記枠線で囲った取引明細の前後に、前記検索条件に該当しない取引明細を表示する、
請求項１に記載の販売データ処理装置。
【請求項３】
前記出力手段は、前記検索結果表示領域に表示され枠線で囲われた取引明細である取引明細画像を印字出力させる、
請求項１又は２に記載の販売データ処理装置。
【請求項４】
前記出力手段は、前記検索した商取引の取引明細を出力する際に、当該商取引の識別情報を取引明細の上位にして出力する、
請求項１乃至３の何れか１に記載の販売データ処理装置。
【請求項５】
販売データ処理装置のコンピュータを、
商取引の検索条件を受け付ける検索条件受付手段と、
取引明細を記録するジャーナルデータから、前記検索条件に該当する商取引を検索する検索手段と、
前記検索条件受付手段が受付ける検索条件を入力するための検索条件入力領域と、当該検索条件入力領域に入力された検索条件について前記検索手段が検索した検索結果として、前記検索条件入力領域により指定された当該検索条件に該当する取引明細の中の上位の位置に識別番号を配置した前記取引明細を表示するとともに、上位の位置に識別番号を配置した前記取引明細には検索された取引明細であることを示す枠線で囲い表示する検索結果表示領域と、を含む画面を表示させる出力手段と、
して機能させるためのプログラム。
【請求項６】
前記出力手段は、前記検索結果表示領域における前記検索条件に該当するとして前記枠線で囲った取引明細の前後に、前記検索条件に該当しない取引明細を表示する、
請求項５に記載のプログラム。
【請求項７】
前記出力手段は、前記検索結果表示領域に表示され枠線で囲われた取引明細である取引明細画像を印字出力させる、
請求項５又は６に記載のプログラム。
【請求項８】
前記出力手段は、前記検索した商取引を出力する際に、当該商取引の識別情報を取引明細の上位にして出力する、
請求項５乃至７の何れか１に記載のプログラム。
【発明の詳細な説明】
【技術分野】
【０００１】
本発明の実施形態は、販売データ処理装置及びプログラムに関する。
【背景技術】
【０００２】
従来、各店舗に設置されたＰＯＳ（Point  Of  Sale）端末により登録された商取引の内容は、統括センタのサーバでジャーナルとして管理される。
【発明の概要】
【発明が解決しようとする課題】
【０００３】
しかしながら、従来技術においては、統括センタのサーバで所定の商取引をピックアップしたい場合、ジャーナルに管理された取引を一つ一つ確認してピックアップしたい商取引を見つけ出す必要があり、不便であった。特に多くの店舗を統括する場合には、ジャーナルも膨大な量となることから、所望の商取引を容易に見つけ出すことが望まれていた。
【課題を解決するための手段】
【０００４】
上述した課題を解決するために、実施形態の販売データ処理装置は、商取引の検索条件を受け付ける検索条件受付手段と、取引明細を記録するジャーナルデータから、前記検索条件に該当する商取引を検索する検索手段と、前記検索条件受付手段が受付ける検索条件を入力するための検索条件入力領域と、当該検索条件入力領域に入力された検索条件について前記検索手段が検索した検索結果として、前記検索条件入力領域により指定された当該検索条件に該当する取引明細の中の上位の位置に識別番号を配置した前記取引明細を表示するとともに、上位の位置に識別番号を配置した前記取引明細には検索された取引明細であることを示す枠線で囲い表示する検索結果表示領域と、を含む画面を表示させる出力手段とを備える。
【０００５】
また、実施形態のプログラムは、販売データ処理装置のコンピュータを、商取引の検索条件を受け付ける検索条件受付手段と、取引明細を記録するジャーナルデータから、前記検索条件に該当する商取引を検索する検索手段と、前記検索条件受付手段が受付ける検索条件を入力するための検索条件入力領域と、当該検索条件入力領域に入力された検索条件について前記検索手段が検索した検索結果として、前記検索条件入力領域により指定された当該検索条件に該当する取引明細の中の上位の位置に識別番号を配置した前記取引明細を表示するとともに、上位の位置に識別番号を配置した前記取引明細には検索された取引明細であることを示す枠線で囲い表示する検索結果表示領域と、を含む画面を表示させる出力手段として機能させる。
【図面の簡単な説明】
【０００６】
【図１】図１は、商品販売システムの構成を示す模式図である。
【図２】図２は、ジャーナルファイルのレコードの構成を示す概念図である。
【図３】図３は、本部サーバのハードウエア構成を示すブロック図である。
【図４】図４は、本部サーバの動作の一例を示すフローチャートである。
【図５】図５は、表示画面の一例を示す概念図である。
【図６】図６は、表示画面の一例を示す概念図である。
【図７】図７は、用紙の一例を示す概念図である。
【発明を実施するための形態】
【０００７】
以下、添付図面を参照して、販売データ処理装置及びプログラムの実施形態を詳細に説明する。なお、以下に説明する実施形態は、チェーン展開する複数の店舗を通信接続した商品販売システムの本部サーバへの適用例である。なお、実施形態にかかる販売データ処理装置及びプログラムについては、以下で説明する本部サーバへの適用以外に、ストアサーバやＰＯＳ端末へ適用してもよいことは言うまでもないことである。
【０００８】
図１は、商品販売システムの構成を示す模式図である。図１に示すように、商品販売システムは、統括センタ１と、複数の店舗Ｆ（Ｆ１、Ｆ２、Ｆ３…）とを、インターネット等の通信ネットワーク３を介して接続して構成されている。
【０００９】
統括センタ１には、各店舗Ｆで行われた商取引にかかるデータの収集及び管理を行う本部サーバ２が設置されている。本部サーバ２は、各店舗Ｆより収集した商取引にかかるデータを記憶するためのＨＤＤ２０（Hard  Disk  Drive）を備えている。ＨＤＤ２０には、各店舗Ｆにて取り扱われる商品の名称や価格で構成される商品データが登録されたＰＬＵファイル２１（Price  Look  Up）、各店舗Ｆで行われた商取引ごとに、その商取引を識別するための識別情報が付与された取引明細を記録するジャーナルファイル２２が記憶されている。
【００１０】
各店舗Ｆには、店舗毎の商取引にかかるデータの収集及び管理を行うストアサーバ４と、１つ又は複数のＰＯＳ端末５、６が設置されている。ストアサーバ４とＰＯＳ端末５、６とは、店舗内に構築されたＬＡＮ７（Local  Area  Network）にて相互通信可能に接続されている。ストアサーバ４と本部サーバ２とは、通信ネットワーク３を介して相互通信可能に接続されている。
【００１１】
ストアサーバ４は、ＣＰＵ（Central  Processing  Unit）を主体として構成された制御回路に、ハードディスクドライブ、表示器等の出力ユニット、及びキーボード等の入力ユニットを接続して構成されたＰＣ（Personal  Computer）等である。ストアサーバ４は、ＰＯＳ端末５、６が商取引の登録を行なった際に送信する取引明細を、取引番号を付与してハードディスクドライブに管理する。ストアサーバ４は、所定のタイミング（例えば一日の営業が終了した時点）で、ハードディスクドライブで管理している一日の商取引にかかるデータを通信ネットワーク３を介して本部サーバ２へ送信する。本部サーバ２では、ストアサーバ４より送信されたデータをジャーナルファイル２２に記録する。このようにして、本部サーバ２では、各店舗Ｆで行われた商取引にかかるデータをジャーナルファイル２２で管理している。
【００１２】
図２は、ジャーナルファイル２２のレコード構成を示す概念図である。図２に示すように、ジャーナルファイル２２は、取引番号記憶エリア４２ａ、日時記憶エリア４２ｂ、取引明細記憶エリア４２ｃ等で構成されている。取引番号記憶エリア４２ａは、商取引の識別情報として、商取引の取引明細を識別するためにユニークに割り当てられた取引番号を記憶する。日時記憶エリア４２ｂは、商取引が行われた日時を記憶する。取引明細記憶エリア４２ｃは、１商取引で販売された商品データを記憶する。取引明細記憶エリア４２ｃに記憶される商品データは、商品を識別する商品コード、名称、単価等で構成されている。なお、レコード中の図示していない部分には、取引が行われた店舗Ｆを示す情報や、商取引を行なったＰＯＳ端末５、６を区別する情報等が含まれている。
【００１３】
図３は、本部サーバ２のハードウエア構成を示すブロック図である。図３に示すように、本部サーバ２は、ＣＰＵ、ＲＯＭ（Read  Only  Memory）、ＲＡＭ（Random  Access  Memory）等で構成されるコンピュータ構成の制御部３０と、通信Ｉ／Ｆ３２と、Ｉ／Ｏ機器制御部３３とがバス３１によって接続されて構成されている。本部サーバ２は、通信Ｉ／Ｆ３２および通信ネットワーク３（図１参照）を介して各店舗Ｆのストアサーバ４との間で相互にオンライン通信する。また、制御部３０にはバス３１及びＩ／Ｏ機器制御部３３を介して、キーボード３４、液晶ディスプレイ等の表示器３５、プリンタ３６及びＨＤＤ２０が接続されている。なお、Ｉ／Ｏ機器制御部３３を介して接続される機器等、図示した本部サーバ２のハードウエア構成は一例であって、例えばキーボード３４の他にタッチパネルやマウスなどを備えてもよいことは言うまでもないことである。
【００１４】
ＨＤＤ２０は、前述したＰＬＵファイル２１、ジャーナルファイル２２の他、制御部３０のＣＰＵを動作させる各種制御プログラムを格納している。制御部３０は、ＣＰＵがＨＤＤ２０に格納された制御プログラムをＲＡＭに展開して順次実行することで、検索条件受付部３０１、ジャーナル検索部３０２、ジャーナル表示部３０３、ジャーナル印刷部３０４としての機能を実現する。
【００１５】
検索条件受付部３０１は、ジャーナルファイル２２に記録された商取引を検索するための検索条件として、所望の商取引の識別情報である取引番号をユーザより受け付ける。具体的には、検索条件受付部３０１は、ジャーナルファイル２２に記録された商取引を検索するための検索条件を受け付ける表示画面を表示器３５に表示させ、キーボード３４による操作入力により取引番号を受け付ける。
【００１６】
ジャーナル検索部３０２は、検索条件受付部３０１で受け付けた取引番号に該当する商取引を、ジャーナルファイル２２に記録された商取引の中から検索する。具体的には、ジャーナル検索部３０２は、ジャーナルファイル２２を参照して検索条件受付部３０１で受け付けた取引番号に一致するレコードを検索する。この検索されたレコードの取引番号記憶エリア４２ａ、日時記憶エリア４２ｂ、取引明細記憶エリア４２ｃに記憶された情報が、検索条件受付部３０１で受け付けた検索条件としてマッチする商取引の取引明細である。
【００１７】
ジャーナル表示部３０３は、ジャーナル検索部３０２が検索した商取引の取引明細を表示器３５の表示画面に表示出力する。ジャーナル印刷部３０４は、ジャーナル検索部３０２が検索した商取引の取引明細をプリンタ３６により用紙に印字出力する。なお、ジャーナル検索部３０２が検索した商取引の取引明細の出力は、ジャーナル表示部３０３による表示出力、及びジャーナル印刷部３０４による印字出力の少なくとも一方が行われるものであってよい。例えば、先ずジャーナル表示部３０３により表示器３５の表示画面に表示出力された後、キーボード３４の操作などにより印字指示が行われた場合にジャーナル印刷部３０４により用紙に印字出力してよい。
【００１８】
次に、本部サーバ２の動作について説明する。図４は、本部サーバ２の動作の一例を示すフローチャートである。この図４のフローチャートは、例えばキーボード３４による操作指示によりジャーナルファイル２２の検索が指示されると開始される処理の一例を示している。
【００１９】
図４に示すように、処理が開始されると、検索条件受付部３０１は、ジャーナルファイル２２に記録された商取引を検索するための検索条件を受け付ける表示画面を表示器３５に表示させ、キーボード３４による操作入力を受け付けて、検索対象の商取引にかかる取引番号を受け付ける（Ｓ１）。
【００２０】
図５は、表示画面Ｇの一例を示す概念図である。図５に示すように、ジャーナルファイル２２の検索にかかる表示画面Ｇは、検索条件入力領域Ｇ１、検索結果表示領域Ｇ２、操作ボタン領域Ｇ３を含む構成である。検索条件入力領域Ｇ１には、商取引の検索条件として検索対象の商取引にかかる取引番号の開始番号を入力するための検索開始番号入力領域Ｋ１と、検索対象の商取引にかかる取引番号の終了番号を入力するための検索終了番号入力領域Ｋ２とが含まれる。ユーザは、キーボード３４を操作して検索開始番号入力領域Ｋ１に検索対象とする取引番号の開始番号を入力し、検索終了番号入力領域Ｋ２に検索対象とする取引番号の終了番号を入力する。この入力により検索開始番号入力領域Ｋ１で入力された開始番号から検索終了番号入力領域Ｋ２で入力された終了番号に該当する商取引の検索を行うことができる。なお、一つの商取引を検索する場合は、開始番号と終了番号とに同一の取引番号を入力することで、その取引番号に該当する商取引の検索を行うことができる。
【００２１】
次いで、ジャーナル検索部３０２は、ＨＤＤ２０に記憶されたジャーナルファイル２２を読み出し（Ｓ２）、Ｓ１で受け付けた取引番号に該当する商取引をジャーナルファイル２２に記憶されたレコードの中から検索する（Ｓ３）。次いで、ジャーナル表示部３０３は、ジャーナル検索部３０２が検索した商取引の取引明細を表示器３５の表示画面に表示出力する（Ｓ４）。したがって、ユーザは、取引番号を検索条件として設定することで、ジャーナルファイル２２で管理される膨大な商取引の中から所望の商取引を容易に見つけ出すことができる。
【００２２】
図６は、表示画面Ｇの一例を示す概念図である。図６に示すように、検索結果表示領域Ｇ２には、ジャーナル検索部３０２が検索した商取引の取引明細をジャーナルファイル２２より読み出して表示出力された取引明細画像Ｇ２１が表示される。この時、ジャーナル表示部３０３は、取引明細画像Ｇ２１として表示する取引明細の中の上位の位置に取引番号を配置する。このように、ジャーナル検索部３０２が検索した商取引の取引明細を出力する際に、取引番号を上位に配置して出力することで、検索条件とした取引番号の商取引が正しく検索されているかを確認しやすくしている。
【００２３】
次いで、制御部３０は、キーボード３４の操作などにより印字指示が行われたか否かを判定する（Ｓ５）。この印字指示は、図６に示すように、取引明細画像Ｇ２１が表示された表示画面Ｇにおける操作ボタン領域Ｇ３にある印字ボタンの操作などであってよい。印字指示が行われた場合（Ｓ５：ＹＥＳ）、ジャーナル印刷部３０４は、ジャーナル検索部３０２が検索した商取引の取引明細をプリンタ３６により用紙に印字出力する（Ｓ６）。
【００２４】
図７は、用紙Ｒ１の一例を示す概念図である。図７に示すように、Ｓ６では、ジャーナル検索部３０２が検索した商取引の取引明細、すなわち取引明細画像Ｇ２１（図６参照）に相当する内容が用紙Ｒ１に印字出力される。これにより、ユーザは、表示器３５の表示画面Ｇだけでなく、用紙Ｒ１により所望の商取引の取引明細を確認できる。
【００２５】
なお、本実施形態の本部サーバ２で実行されるプログラムは、ＲＯＭ等に予め組み込まれて提供される。本実施形態の本部サーバ２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００２６】
さらに、本実施形態の本部サーバ２で実行されるプログラムを、インターネット等のネットワークに接続されたコンピュータ上に格納し、ネットワーク経由でダウンロードさせることにより提供するように構成しても良い。また、本実施形態の本部サーバ２で実行されるプログラムをインターネット等のネットワーク経由で提供または配布するように構成しても良い。
【００２７】
本実施形態の本部サーバ２で実行されるプログラムは、上述した各部（検索条件受付部３０１、ジャーナル検索部３０２、ジャーナル表示部３０３、ジャーナル印刷部３０４）を含むモジュール構成となっており、実際のハードウェアとしてはＣＰＵ（プロセッサ）が上記ＲＯＭからプログラムを読み出して実行することにより上記各部が主記憶装置上にロードされ、主記憶装置上に生成されるようになっている。
【符号の説明】
【００２８】
１…統括センタ、２…本部サーバ、３…通信ネットワーク、４…ストアサーバ、５、６…ＰＯＳ端末、７…ＬＡＮ、２０…ＨＤＤ、２１…ＰＬＵファイル、２２…ジャーナルファイル、３０…制御部、３１…バス、３２…通信Ｉ／Ｆ、３３…Ｉ／Ｏ機器制御部、３４…キーボード、３５…表示器、３６…プリンタ、４２ａ…取引番号記憶エリア、４２ｂ…日時記憶エリア、４２ｃ…取引明細記憶エリア、３０１…検索条件受付部、３０２…ジャーナル検索部、３０３…ジャーナル表示部、３０４…ジャーナル印刷部、Ｆ…店舗、Ｇ…表示画面、Ｇ１…検索条件入力領域、Ｇ２…検索結果表示領域、Ｇ３…操作ボタン領域、Ｇ２１…取引明細画像、Ｋ１…検索開始番号入力領域、Ｋ２…検索終了番号入力領域、Ｒ１…用紙
【先行技術文献】
【特許文献】
【００２９】
【特許文献１】特開２０１１−５４１２５号公報
【図１】
2015215928.tif 000003
【図２】
2015215928.tif 000004
【図３】
2015215928.tif 000005
【図４】
2015215928.tif 000006
【図５】
2015215928.tif 000007
【図６】
2015215928.tif 000008
【図７】
2015215928.tif 000009
【手続補正書】
【提出日】平成27年9月3日(2015.9.3)
【手続補正１】
【補正対象書類名】明細書
【補正対象項目名】０００４
【補正方法】変更
【補正の内容】
【０００４】
上述した課題を解決するために、実施形態の販売データ処理装置は、各店舗で行われた商取引ごとに、当該商取引を識別するための識別情報が付与された前記取引明細を収集する収集手段と、前記収集手段が収集した前記取引明細をジャーナルファイルに記録する記録手段と、商取引の検索条件を受け付ける検索条件受付手段と、前記ジャーナルファイルから、前記検索条件に該当する商取引を検索する検索手段と、前記検索条件受付手段が受付ける検索条件を入力するための検索条件入力領域と、前記収集手段が収集した前記取引明細が記録された前記ジャーナルファイルを表示する検索結果表示領域と、を含む画面を表示させる出力手段とを備える。そして、前記出力手段は、前記検索結果表示領域に表示した前記ジャーナルファイルの前記検索条件に該当する前記取引明細には検索された取引明細であることを示す枠線で囲い表示する。
【手続補正２】
【補正対象書類名】明細書
【補正対象項目名】０００５
【補正方法】変更
【補正の内容】
【０００５】
また、実施形態のプログラムは、販売データ処理装置のコンピュータを、各店舗で行われた商取引ごとに、当該商取引を識別するための識別情報が付与された前記取引明細を収集する収集手段と、前記収集手段が収集した前記取引明細をジャーナルファイルに記録する記録手段と、商取引の検索条件を受け付ける検索条件受付手段と、前記ジャーナルファイルから、前記検索条件に該当する商取引を検索する検索手段と、前記検索条件受付手段が受付ける検索条件を入力するための検索条件入力領域と、前記収集手段が収集した前記取引明細が記録された前記ジャーナルファイルを表示する検索結果表示領域と、を含む画面を表示させる出力手段として機能させる。そして、前記出力手段は、前記検索結果表示領域に表示した前記ジャーナルファイルの前記検索条件に該当する前記取引明細には検索された取引明細であることを示す枠線で囲い表示する。
【手続補正３】
【補正対象書類名】特許請求の範囲
【補正対象項目名】全文
【補正方法】変更
【補正の内容】
【特許請求の範囲】
【請求項１】
各店舗で行われた商取引ごとに、当該商取引を識別するための識別情報が付与された前記取引明細を収集する収集手段と、
前記収集手段が収集した前記取引明細をジャーナルファイルに記録する記録手段と、
商取引の検索条件を受け付ける検索条件受付手段と、
前記ジャーナルファイルから、前記検索条件に該当する商取引を検索する検索手段と、
前記検索条件受付手段が受付ける検索条件を入力するための検索条件入力領域と、前記収集手段が収集した前記取引明細が記録された前記ジャーナルファイルを表示する検索結果表示領域と、を含む画面を表示させる出力手段と、
を備え、
前記出力手段は、前記検索結果表示領域に表示した前記ジャーナルファイルの前記検索条件に該当する前記取引明細には検索された取引明細であることを示す枠線で囲い表示する販売データ処理装置。
【請求項２】
前記出力手段は、前記検索結果表示領域における前記検索条件に該当するとして前記枠線で囲った取引明細の後に、前記検索条件に該当しない取引明細を表示する、
請求項１に記載の販売データ処理装置。
【請求項３】
前記出力手段は、前記検索結果表示領域に表示され枠線で囲われた取引明細である取引明細画像を印字出力させる、
請求項１又は２に記載の販売データ処理装置。
【請求項４】
前記出力手段は、前記検索した商取引の取引明細を出力する際に、当該商取引の識別情報を取引明細の上位にして出力する、
請求項１乃至３の何れか１に記載の販売データ処理装置。
【請求項５】
販売データ処理装置のコンピュータを、
各店舗で行われた商取引ごとに、当該商取引を識別するための識別情報が付与された前記取引明細を収集する収集手段と、
前記収集手段が収集した前記取引明細をジャーナルファイルに記録する記録手段と、
商取引の検索条件を受け付ける検索条件受付手段と、
前記ジャーナルファイルから、前記検索条件に該当する商取引を検索する検索手段と、
前記検索条件受付手段が受付ける検索条件を入力するための検索条件入力領域と、前記収集手段が収集した前記取引明細が記録された前記ジャーナルファイルを表示する検索結果表示領域と、を含む画面を表示させる出力手段と、
して機能させ、
前記出力手段は、前記検索結果表示領域に表示した前記ジャーナルファイルの前記検索条件に該当する前記取引明細には検索された取引明細であることを示す枠線で囲い表示するためのプログラム。
【請求項６】
前記出力手段は、前記検索結果表示領域における前記検索条件に該当するとして前記枠線で囲った取引明細の後に、前記検索条件に該当しない取引明細を表示する、
請求項５に記載のプログラム。
【請求項７】
前記出力手段は、前記検索結果表示領域に表示され枠線で囲われた取引明細である取引明細画像を印字出力させる、
請求項５又は６に記載のプログラム。
【請求項８】
前記出力手段は、前記検索した商取引を出力する際に、当該商取引の識別情報を取引明細の上位にして出力する、
請求項５乃至７の何れか１に記載のプログラム。